(57)【要約】【課題】時刻に関連する処理をなすべき所定画像データが格納されているときに、内部時計の時刻修正をできないようにして、画像データごとの処理に支障を来たすことがないファクシミリ装置を提供する。【解決手段】時刻を計時する内部時計７を有し、所定処理をさせるべき時刻が指定された所定の画像データを格納する記憶手段６を備えるファクシミリ装置Ｆにおいて、記憶手段６に所定の画像データが格納されているときには、内部時計７の計時時刻の変更操作を無効とする制御手段１を備える。【選択図】図１
2004350181.tif 000002
【特許請求の範囲】
【請求項１】
時刻を計時する内部時計を有し、所定処理をさせるべき時刻が指定された所定の画像データを格納する記憶手段を備えるファクシミリ装置において、
上記記憶手段に上記所定の画像データが格納されているときには、上記内部時計の計時時刻の変更操作を無効とする制御手段を備えるファクシミリ装置。
【請求項２】
請求項１において、
上記所定の画像データは、送信時刻が指定された時刻指定送信画像データであることを特徴とするファクシミリ装置。
【請求項３】
請求項１において、
上記所定の画像データは、削除時刻の指定された親展受信画像データであることを特徴とするファクシミリ装置。
【請求項４】
請求項１において、
通信ネットワークを通じて複数のクライアント端末が接続されており、
上記所定の画像データは、削除時刻の指定されたクライアント端末配信画像データであることを特徴とするファクシミリ装置。
【発明の詳細な説明】
【０００１】
【発明の属する技術分野】
本発明は、時刻を計時する内部時計を有し、時刻データを対応させて所定の画像データを格納する記憶手段を備えるファクシミリ装置の改良に関する。
【０００２】
【従来の技術】
従来よりオフィスなどで広く使用されているファクシミリ装置においては、例えば、下記特許文献１に示すような装置があるが、このものは、画像データを格納する記憶手段と、現在時刻を計時する内部時計とを少なくとも備えており、後述する所定の画像データを格納する際、所定の処理をすべき時刻を指定しておき、その時刻を内部時計が計時すればその処理をしたり、受信画像データに対してその受信時における内部時計の計時時刻を付加し、その管理に役立てている。
【０００３】
【特許文献１】
特開平１０−２２２０２４号公報
【０００４】
【発明が解決しようとする課題】
ところで、内部時計は、先述したように、現在時刻の計時を操作部の操作などにより変更できるようになっている。一方、所定の処理をすべき時刻が指定されて記憶手段に格納され、内部時計がその指定時刻を計時すれば、対応する処理をする画像データとしては、例えば、時刻指定送信原稿、親展受信原稿、クライアント端末配信原稿などがある。
【０００５】
ここで、時刻指定送信原稿画像とは、読み取り画像データに対し、送信時刻を対応させておき、その時刻を内部時計が計時すれば、指定された宛先に送信されるものをいう。また、親展受信原稿とは、送信側からパスワードが指定されて送信され、ユーザがそのパスワード入力すればその画像を印字でき、予め装置で設定された時刻になっても印字されない場合に、記憶手段から削除されるものをいう。
【０００６】
更に、クライアント端末配信原稿とは、ファクシミリ装置に通信ネットワークを通じて複数のクライアント端末が接続されている場合に伝送されるものであるが、送信側から１のクライアントが指定されて送信され、クライアント側で送信要求をすればその画像が伝送され、予め装置で設定された時刻になってもクライアント側から送信要求されない場合に、記憶手段から削除されるものをいう。
【０００７】
これらの画像データが記憶手段にあるときに、内部時計の時刻が変更されてしまうと、対応する処理をする際に非常に支障を来たす。本発明は、このような問題を解決するために提案されるものである。
【０００８】
【課題を解決するための手段】
上記目的を達成するために、本発明の請求項１に記載のファクシミリ装置では、時刻を計時する内部時計を有し、所定処理をさせるべき時刻が指定された所定の画像データを格納する記憶手段を備えるファクシミリ装置において、上記記憶手段に上記所定の画像データが格納されているときには、上記内部時計の計時時刻の変更操作を無効とする制御手段を備える。
【０００９】
請求項２〜４では、請求項１に記載の画像データの種別と、制御手段の具体的動作について定義しており、所定の画像データは、送信時刻が指定された時刻指定送信画像データであることを特徴とする。
【００１０】
請求項３では、上記所定の画像データは、削除時刻の指定された親展受信画像データであることを特徴とする。
【００１１】
請求項４では、通信ネットワークを通じて複数のクライアント端末が接続された態様で用いるものであって、通信ネットワークを通じて複数のクライアント端末が接続されており、上記所定の画像データは、削除時刻の指定されたクライアント端末配信画像データであることを特徴とする。
【００１２】
【発明の実施の形態】
以下に、本発明の実施の形態について、図面とともに説明する。図１は、本発明のファクシミリ装置を用いて構成したネットワークの一例を示すブロック図である。
【００１３】
このネットワークにおいては、本発明のファクシミリ装置Ｆには、電話回線Ｌ１を通じて公衆回線網Ｎ１が接続されており、一方、１０ＢＡＳＥ−Ｔ規格などの伝送ケーブルＬ２を通じて、通信ネットワークとしてのＬＡＮ（Ｎ２）に接続されている。また、ＬＡＮ（Ｎ２）には、パーソナルコンピュータなどのクライアント端末Ｃが複数接続されている。
【００１４】
このようなネットワークにおいては、各種処理が行えるが、例えば、以下の処理ができる。すなわち、ファクシミリ装置Ｆにおいて原稿画像を形成し、相手先に送る時刻を予め指定しておけば、ファクシミリ装置Ｆの内部時計がその時刻を計時すれば、形成した原稿画像を送信できる。
【００１５】
また、送信側から親展受信原稿を受信しておき、その際に同時に受信されるパスワードを特定のユーザが入力すれば、その原稿を印字出力できる。更に、送信側からクライアントＣを特定した画像データを受信して格納したときに、受信したことを当該クライアントＣに通知しておき、そのクライアントＣからの配信要求を受けると、その画像データを配信することもできる。
【００１６】
このような機能のため、ファクシミリ装置Ｆの内部構成を、図２のようにしている。このファクシミリ装置Ｆは、このファクシミリ装置Ｆを制御するＣＰＵ１と、電話回線Ｌ１に対する接続制御をするＮＣＵ２と、ファクシミリ通信に必要な各種信号の変復調をするモデム３と、短縮ダイヤルなどの各種情報を登録するＲＡＭ４と、このファクシミリ装置Ｆが動作するのに必要な各種プログラムなどを記憶したＲＯＭ５と、画像ボックス６Ａを有する画像メモリ６と、現在時刻を計時する内部時計７と、液晶画面などで構成される表示部８と、各種操作キーなどで構成される操作部９と、画像データを印字出力するプリンタ１０と、ＬＡＮ（Ｎ２）に接続するためのＬＡＮインタフェース１１とを備える。
【００１７】
画像ボックス６Ａには、ボックス番号に対応して、格納順に順次画像データが格納されて保存される。この画像ボックス６Ａの画像データを管理するため、ＲＡＭ４には画像管理メモリ４Ａを備えており、図３に示すように、各ボックス番号に対応して、そのボックスの画像データ種別、実行すべき処理、その処理開始時刻などのデータを格納する。
【００１８】
ここでは、ボックス００１には、このボックス内の画像データの種別として時刻指定送信原稿が登録され、更に、その処理内容として時刻指定送信が登録され、その送信時刻が登録されている。また、ボックス００２には、このボックス内の画像データの種別として親展受信原稿が登録され、更に、その処理内容として時刻指定削除が登録され、その削除時刻が登録されている。なお、備考として、親展受信画像データを印字出力するためにユーザが入力すべき、送信側から送られたパスワードも登録されている。
【００１９】
また、ボックス００３には、このボックス内の画像データの種別としてクライアント配信原稿が登録され、更に、その処理内容として時刻指定削除が登録され、その削除時刻が登録されている。なお、備考として、クライアント配信画像データを配信すべき相手先アドレスと、配信させるのに必要な、送信側から送られたパスワードも登録されている。
【００２０】
なお、ボックス００２，００３に登録される削除時刻は、予めこのファクシミリ装置Ｆの操作により設定されているものが登録される他、送信側から画像データとともに得た情報であってもよい。
【００２１】
このような画像管理メモリ４Ａを有することにより、ファクシミリ装置Ｆは、先述の基本処理ができる上、本発明の特徴とする以下の処理ができる。これについて、図４のフローチャートとともに説明する。
【００２２】
すなわち、このファクシミリ装置Ｆでは、操作部９の操作により内部時計７の計時時刻の変更が可能となるが、このような変更指示のあったときには（Ｓ１）、ＣＰＵ１は、画像管理メモリ４Ａを参照し、時刻指定処理のフラグがたっているかどうかを判断する（Ｓ２）。このようなフラグの有無は、画像管理メモリ４Ａにおいては、時刻指定送信や時刻指定削除の文字の有無で判断するようにしており、このようなフラグがあれば、修正を行わず所定のエラー報知をする（Ｓ４）。一方、フラグがなければ修正された時刻に内部時計７の時刻を更新する（Ｓ３）。
【００２３】
【発明の効果】
以上の説明からも理解できるように、本発明の請求項１に記載のファクシミリ装置では、記憶手段に所定の画像データが格納されているときには、内部時計の計時時刻の変更操作を無効とする制御手段を備えるので、所定処理をすべき時刻の指定されている画像データが記憶手段にあるときには、内部時計の計時時刻の変更ができないため、対応する処理を行うのに支障を来たすことがなくなる。
請求項２に記載のファクシミリ装置では、所定の画像データは、送信時刻が指定された時刻指定送信画像データであり、制御手段は、指定時刻を内部時計が計時すれば、その画像データを所定の宛先に送信するので、時刻指定送信画像データがあるときには、時刻修正操作ができないため、正確な送信時刻にその処理を開始できる。
請求項３では、所定の画像データは、削除時刻の指定された親展受信画像データであり、制御手段は、予め設定された削除時刻を上記内部時計が計時すれば、その画像データを削除するので、親展受信画像データがあるときには時刻修正操作ができないため、正確な削除時刻にその処理を開始できる。
【００２４】
請求項４では、所定の画像データは、削除時刻の指定されたクライアント端末配信画像データであり、制御手段は、予め設定された削除時刻を内部時計が計時すれば、その画像データを削除するので、クライアント端末配信画像データがあるときには時刻修正操作ができないため、正確な削除時刻にその処理を開始できる。
【図面の簡単な説明】
【図１】本発明のファクシミリ装置を用いて構成したネットワークの一例を示すブロック図。
【図２】本発明のファクシミリ装置の内部構成の一例を示すブロック図
【図３】画像管理メモリの構成例を示す図
【図４】本発明のファクシミリ装置の動作について説明するためのフローチャート
【符号の説明】
Ｆ・・・ファクシミリ装置
１・・・ＣＰＵ
６・・・画像メモリ
７・・・内部時計
【図１】
2004350181.tif 000003
【図２】
2004350181.tif 000004
【図３】
2004350181.tif 000005
【図４】
2004350181.tif 000006